(57)【特許請求の範囲】
【請求項１】
デッキの四隅に配置された隅桁と、該隅桁の間に配置された中間桁と、デッキの中央に配置された中央桁とを有するとともに、隅桁と中間桁間及び中間桁と中央桁間には、それぞれ、連結リブと該連結リブと直交するように交差する交差リブとからなるリブ部が形成されている合成樹脂製パレットにおいて、隅桁と中間桁間に形成されたリブ部を構成する連結リブのリブピッチと交差リブのリブピッチとが、ほぼ同じリブピッチに形成されており、また、中間桁と中央桁間に形成されたリブ部を構成する交差リブのリブピッチが、隅桁と中間桁間に形成されたリブ部を構成する連結リブのリブピッチ及び交差リブのリブピッチとほぼ同じに形成されており、更に、中間桁と中央桁間に形成されたリブ部を構成する連結リブのリブピッチが、隅桁と中間桁間に形成されたリブ部を構成する連結リブのリブピッチより、狭く形成されていることを特徴とする合成樹脂製パレット。
【請求項２】
デッキの四隅に配置された隅桁と、該隅桁の間に配置された中間桁と、デッキの中央に配置された中央桁とを有するとともに、隅桁と中間桁間及び中間桁と中央桁間には、それぞれ、連結リブと該連結リブと直交するように交差する交差リブとからなるリブ部が形成されている合成樹脂製パレットにおいて、隅桁と中間桁間に形成されたリブ部を構成する連結リブのリブピッチと交差リブのリブピッチとが、ほぼ同じリブピッチに形成されており、また、中間桁と中央桁間に形成されたリブ部を構成する交差リブのリブピッチが、隅桁と中間桁間に形成されたリブ部を構成する連結リブのリブピッチ及び交差リブのリブピッチとほぼ同じに形成されており、更に、所定の間隙を置いて配設された棚に載置される中間桁と中央桁間に形成されたリブ部を構成する連結リブのリブピッチのみが、隅桁と中間桁間に形成されたリブ部を構成する連結リブのリブピッチ及び棚に載置されていない中間桁と中央桁間に形成されたリブ部を構成する連結リブのリブピッチより、狭く形成されていることを特徴とする合成樹脂製パレット。
【発明の詳細な説明】
【０００１】
【発明の属する技術分野】
本発明は、物品の運搬、移送、保管等に使用される合成樹脂製パレットに関するものである。
【０００２】
【従来の技術】
従来、上部デッキと下部デッキの４つの角部を連結する隅桁と、上部デッキと下部デッキの各辺の中間部を連結する４つの中間桁と、上部デッキと下部デッキの中央部を連結する１つの中央桁とからなり、隅桁と中間桁の間及び中間桁と中央桁の間に、それぞれ、フォーク挿入空間部が形成された合成樹脂製パレットが知られている。
【０００３】
上述した隅桁と中間桁とは、縦横に走るリブからなるリブ部、或いは、裏面に、縦横に走るリブが形成された板状の桟部で連結されており、また、上述した中間桁と中央桁も、同様に、縦横に走るリブからなるリブ部、或いは、裏面に、縦横に走るリブが形成された板状の桟部で連結されている。
【０００４】
上述した隅桁と中間桁及び中間桁と中央桁とを連結するリブ部或いは桟部を構成するリブのリブピッチ（隣り合うリブの間隔）は、ほぼ同一ピッチに形成されている。
【０００５】
【発明が解決しようとする課題】
上述した従来の合成樹脂製パレットにおいては、隅桁と中間桁及び中間桁と中央桁とを連結するリブ部或いは桟部を構成するリブのリブピッチが、ほぼ同一ピッチに形成されており、合成樹脂製パレットの撓みとリブピッチを考慮し、効果的にリブを配置した合成樹脂製パレットは知られていない。そして、合成樹脂製パレットの強度や剛性を高めるために、全てのリブのリブピッチを狭めることが考えられるが、全てのリブのリブピッチを狭めると、リブの本数が多くなり、従って、合成樹脂製パレットの重量が増加したり、金型構造が複雑化し、ひいては、合成樹脂製パレットのコストが上昇するという問題があった。
【０００６】
本発明の目的は、上述した従来の合成樹脂製パレットが有する課題を解決することにある。
【０００７】
【課題を解決するための手段】
本発明は、上述した目的を達成するために、第１には、デッキの四隅に配置された隅桁と、該隅桁の間に配置された中間桁と、デッキの中央に配置された中央桁とを有するとともに、隅桁と中間桁間及び中間桁と中央桁間には、それぞれ、連結リブと該連結リブと直交するように交差する交差リブとからなるリブ部が形成されている合成樹脂製パレットにおいて、隅桁と中間桁間に形成されたリブ部を構成する連結リブのリブピッチと交差リブのリブピッチとが、ほぼ同じリブピッチに形成されており、また、中間桁と中央桁間に形成されたリブ部を構成する交差リブのリブピッチが、隅桁と中間桁間に形成されたリブ部を構成する連結リブのリブピッチ及び交差リブのリブピッチとほぼ同じに形成されており、更に、中間桁と中央桁間に形成されたリブ部を構成する連結リブのリブピッチを、隅桁と中間桁間に形成されたリブ部を構成する連結リブのリブピッチより、狭く形成したものであり、第２には、デッキの四隅に配置された隅桁と、該隅桁の間に配置された中間桁と、デッキの中央に配置された中央桁とを有するとともに、隅桁と中間桁間及び中間桁と中央桁間には、それぞれ、連結リブと該連結リブと直交するように交差する交差リブとからなるリブ部が形成されている合成樹脂製パレットにおいて、隅桁と中間桁間に形成されたリブ部を構成する連結リブのリブピッチと交差リブのリブピッチとが、ほぼ同じリブピッチに形成されており、また、中間桁と中央桁間に形成されたリブ部を構成する交差リブのリブピッチが、隅桁と中間桁間に形成されたリブ部を構成する連結リブのリブピッチ及び交差リブのリブピッチとほぼ同じに形成されており、更に、所定の間隙を置いて配設された棚に載置される中間桁と中央桁間に形成されたリブ部を構成する連結リブのリブピッチのみを、隅桁と中間桁間に形成されたリブ部を構成する連結リブのリブピッチ及び棚に載置されていない中間桁と中央桁間に形成されたリブ部を構成する連結リブのリブピッチより、狭く形成したものである。
【０００８】
【実施例】
以下に、本発明の実施例について説明するが、本発明の趣旨を越えない限り何ら、本実施例に限定されるものではない。
【０００９】
１は、上部デッキであり、２は、下部デッキである。上部デッキ１と下部デッキ２とは、上部デッキ１及び下部デッキ２の４つの角部を連結する隅桁３と、上部デッキ１と下部デッキ２の各辺の中間部を連結する４つの中間桁４と、上部デッキ１と下部デッキ２の中央部を連結する１つの中央桁５とにより連結されている。そして、隅桁３と中間桁４の間及び中間桁４と中央桁５の間に、それぞれ、フォーク挿入空間部６が形成されている。
【００１０】
隅桁３と中間桁４とを連結するリブ部７は、隅桁３と中間桁４とを連結する複数の連結リブ７ａと、連結リブ７ａと直交するように交差する交差リブ７ｂとにより構成されており、連結リブ７ａのリブピッチ（隣り合うリブの間隔）と交差リブ７ｂのリブピッチとは、比較的、大きく、且つ、ほぼ同じリブピッチに形成されている。
【００１１】
中間桁４と中央桁５とを連結するリブ部８も、上述した隅桁３と中間桁４とを連結するリブ部７と同様に、中間桁４と中央桁５とを連結する複数の連結リブ８ａと、連結リブ８ａと直交するように交差する交差リブ８ｂとにより構成されている。そして、本実施例においては、中間桁４と中央桁５とを連結する連結リブ８ａと交差する交差リブ８ｂのリブピッチは、上述した隅桁３と中間桁４間に形成されたリブ部７を構成する交差リブ７ｂのリブピッチとほぼ同じであるが、中間桁４と中央桁５とを連結する連結リブ８ａのリブピッチは、上述した隅桁３と中間桁４とを連結する連結リブ７ａのリブピッチより、狭く構成されており、従って、中間桁４と中央桁５とを連結する連結リブ８ａの本数は、隅桁３と中間桁４とを連結する連結リブ７ａの本数より多くなるように構成されている。
【００１２】
上述したように、中間桁４と中央桁５とを連結する連結リブ８ａのリブピッチｐ４を、隅桁３と中間桁４とを連結する連結リブ７ａのリブピッチｐ１より狭くし、連結リブ８ａの本数を増やすことにより、中間桁４と中央桁５とを連結するリブ部８の強度、及び、中間桁４と中央桁５とを連結する連結リブ８ａの全体の曲げ剛性を高めることができる。
【００１３】
上述したように構成することにより、最も撓み易い合成樹脂製パレットの中央部の強度や曲げ剛性を高めることができ、従って、最も撓み易い合成樹脂製パレットの中央部の撓みを抑制することができる。
【００１４】
合成樹脂製パレットの平面形状が、ほぼ正方形の場合には、中間桁４と中央桁５とを連結する４つの全てのリブ部８を構成する連結リブ８ａのリブピッチを、隅桁３と中間桁４とを連結する連結リブ７ａのリブピッチより狭く構成することが好ましい。
【００１５】
また、合成樹脂製パレットの平面形状が、ほぼ長方形である場合には、合成樹脂製パレットの長辺に沿って配設されている中間桁４と中央桁５とを連結するリブ部８を構成する連結リブ８ａのリブピッチのみを、隅桁３と中間桁４とを連結する連結リブ７ａのリブピッチより狭く構成することが好ましい。このように構成することにより、強度や曲げ剛性が、合成樹脂製パレットの短辺側に比べて小さな合成樹脂製パレットの長辺側の強度や曲げ剛性を、合成樹脂製パレットの重量増加を抑制しつつ、効果的に高めることができる。
【００１６】
更に、合成樹脂製パレットの平面形状が、ほぼ正方形か、ほぼ長方形か等に限らず、合成樹脂製パレットが、自動倉庫等に、所定の間隙を置いて配設された棚間に載置される場合には、図２に示されているように、棚間に架橋される中間桁４と中央桁５とを連結するリブ部８を構成する連結リブ８ａのリブピッチのみを、隅桁３と中間桁４とを連結する連結リブ７ａのリブピッチより狭く構成する。このように構成することにより、合成樹脂製パレットの重量増加を抑制しつつ、効果的に、棚間に載置された合成樹脂製パレットの撓みを防止することができる。
【００１７】
上述した実施例には、隅桁３と中間桁４と中央桁５とを有し、隅桁３と中間桁４の間及び中間桁４と中央桁５の間に、それぞれ、フォーク挿入空間部６が形成されている、所謂、四方差しの合成樹脂製パレットが示されているが、上部デッキ１と下部デッキ２とが、一方の相対する辺に沿って形成された２つの側部桁と、２個の側部桁の中央部に、側部桁と平行に形成された１つの中間桁とにより連結された、所謂、２方差しの合成樹脂製パレットにも、本発明を適用することができる。
【００１８】
上述した２方差しの合成樹脂製パレットを、自動倉庫等に配設された棚間に載置する場合には、通常は、棚間には側部桁と中間桁とが架橋するが、棚に、側部桁が載置され、棚の長手方向に対して、側部桁及び中間桁が、ほぼ平行になるように載置される場合がある。このような場合には、側部桁と中間桁を連結する連結リブのリブピッチを、側部桁及び中間桁とほぼ平行で、連結リブと交差する交差リブのリブピッチより狭くすることにより、合成樹脂製パレットの重量増加を抑制しつつ、効果的に、棚間に載置された合成樹脂製パレットの撓みを防止することができる。
【００１９】
本発明は、射出成形等により、一体的に製造される合成樹脂製パレットに適用することも、また、上部スキッドと下部スキッドとを、それぞれ別々に、射出成形等により成形し、その後、上部スキッドの桁部端部と下部スキッドの桁部端部とを溶着することにより製造される溶着パレットに適用することもできる。
【００２０】
なお、上述した実施例には、隅桁３と中間桁４とを連結するリブ部７及び中間桁４と中央桁５とを連結するリブ部８が、連結リブ７ａ、８ａと交差リブ７ｂ、８ｂとからなるリブ構造に形成されている例が示されているが、隅桁３と中間桁４及び中間桁４と中央桁５とを、裏面に、上記のような連結リブ７ａ、８ａと交差リブ７ｂ、８ｂリブが形成された板状の桟部により構成することもできる。
【００２１】
【発明の効果】
本発明は、以上説明した構成を有しているので、以下に記載する効果を奏するものである。
【００２２】
中間桁と中央桁とを連結する連結リブのリブピッチを、隅桁と中間桁とを連結する連結リブのリブピッチより、狭くしたので、最も撓み易い合成樹脂製パレットの中央部の強度や曲げ剛性を高めることができる。
【００２３】
中間桁と中央桁とを連結する連結リブのリブピッチを、隅桁と中間桁とを連結する連結リブのリブピッチより、狭くしたので、合成樹脂製パレットの重量増加を抑制しつつ、効果的に、撓みを防止することができる。
【００２４】
所定の間隙を置いて配設された棚間に架橋される中間桁と中央桁とを連結するリブ部を構成する連結リブのリブピッチのみを、他の桁を連結する連結リブのリブピッチより狭くしたので、合成樹脂製パレットの重量増加を抑制しつつ、効果的に、棚間に載置された合成樹脂製パレットの撓みを防止することができる。
【図面の簡単な説明】
【図１】図１は本発明の合成樹脂製パレットの斜視図である。
【図２】図２は本発明の別の実施例の合成樹脂製パレットの斜視図である。
【符号の説明】
１・・・・・・・・・・・・・上部デッキ
２・・・・・・・・・・・・・下部デッキ
３・・・・・・・・・・・・・隅桁
３・・・・・・・・・・・・・中間桁
５・・・・・・・・・・・・・中央桁
７、８・・・・・・・・・・・リブ部
７ａ、８ａ・・・・・・・・・連結リブ
７ｂ、８ｂ・・・・・・・・・交差リブ
【図１】
0003965307.tif 000002
【図２】
0003965307.tif 000003